【事件の表示】
　特願２０１１−１０９３３０号「遊技機」拒絶査定不服審判事件〔平成２４年１２月１０日出願公開、特開２０１２−２３９４９４号〕について、次のとおり審決する。
【結　論】
　本件審判の請求は、成り立たない。
【理　由】
第１　手続の経緯
　本願は、平成２３年５月１６日の出願であって、平成２７年９月７日付けで拒絶査定がなされ、これに対して、同年１２月９日に拒絶査定不服審判の請求がされた後、当審において平成２８年９月１６日付けで拒絶理由の通知がなされ、同年１０月２４日に意見書が提出されるとともに、同日付けで手続補正がなされたものである。
第２　本願発明
　本願の請求項１〜３に係る発明は、平成２８年１０月２４日付け手続補正書により補正された特許請求の範囲の請求項１〜３に記載された事項により特定されるとおりのものであるところ、その請求項１に係る発明（以下、「本願発明」という。）は、次のとおりのものであると認められる（記号Ａ〜Ｅは、分説するため当審で付した。）。
「【請求項１】
Ａ　遊技盤面に設けられた始動入賞口に遊技球が入賞することで抽選を実行する通常遊技の進行を制御すると共に、前記抽選が当選であることに基づいて、前記遊技盤面上に設けられ前記通常遊技中は閉止されている大入賞口を所定期間開放することにより遊技球の入賞を可能とする特別遊技の進行を制御する遊技進行制御手段と、
Ｂ　表示装置に、予め定められた複数の図柄列の変動を含む画像演出を表示し、その後に停止される各図柄列の図柄配列状態によって前記抽選の結果を報知する、或いは、前記抽選の結果を報知する前に前記複数の図柄列の内最終停止図柄列を残して当選図柄で仮停止させるリーチ演出を介して停止される各図柄列の図柄配列状態によって前記抽選の結果を報知する報知手段と、
Ｃ　前記報知手段で報知される前記図柄列の変動を含む画像演出の形態として、前記リーチ演出を実行した後に実行される一連の動作であり、図柄変動が開始されてから前記最終停止図柄列が停止するまでの１回の変動内で実行され、前記最終停止図柄列において、変動が継続することを示す擬似連図柄が仮停止した後、前記最終停止図柄列が再変動しかつ当該再変動中に特定演出を実行する表示領域を確保するための図柄の縮小を伴う擬似連強調動作を行った後、前記抽選の結果を報知するための最終停止図柄で停止させるリーチ後擬似連演出形態情報を含む、複数種類の演出形態情報を記憶する演出形態情報記憶手段と、
Ｄ　前記遊技進行制御手段から送出される演出実行情報に基づいて、前記演出形態情報記憶手段から演出形態を選択する選択手段と、
Ｅ　前記選択手段で選択された演出形態情報に基づいて、前記報知手段を制御して演出を実行する演出実行制御手段と、
を有する遊技機。」
第３　引用文献及びその記載事項
（１）引用文献１
　当審で通知した拒絶の理由に引用された、本願の出願前に頒布された刊行物である特開２００８−１７３５１５号公報（以下、「引用文献１」という。）には、図面とともに以下の事項が記載されている（下線は当審で付した。）。
（１−ア）
「【０００１】
　本発明は、図柄表示部と、始動入賞に基いて図柄表示部に図柄を変動停止させ、図柄が所定の表示態様となることを条件に、遊技者に特典付与を認識させる
遊技機
（１−イ）
「【００１２】
　以下、本発明の実施の形態を図面を参照して説明する。図１は、本発明の一実施形態におけるパチンコ遊技機に配備された遊技盤面の正面図である。
遊技盤面１の略中央には
図柄表示ユニット３が配設されている
図柄表示装置２は遊技者に可変表示ゲームによる当り外れを認識させるための識別情報としての複数の図柄列を変動表示させるものである
【００１３】
　図柄表示装置２は識別情報としての３列の図柄列を変動表示させるものとしてあり、表示画面の左側から左図柄、中図柄及び右図柄を変動表示する。
図柄表示ユニット３の下方中央には、
可変入賞口５を有する
普通電動役物４が設けられている
なお、普通電動役物４の可変入賞口５が図柄表示装置２における図柄変動の開始に関わる始動口に設定されている。
【００１４】
　
普通電動役物４の下方には可変入賞装置６が設けられている。
可変入賞装置６は、通常時には開閉扉７を閉成状態として大入賞口８へのパチンコ球の入賞が不可能な状態
となっている
可変入賞装置６は、開閉扉７を開放状態として大入賞口８へのパチンコ球が入賞しやすい状態に変換する
【００１５】
　大入賞口８の内部の一部には、特別入賞領域である特定領域（図示せず）が設けられ、該特定領域には特定領域を開閉する特定領域扉（図示せず）が設けられている。
大入賞口８は、図柄表示装置２において図柄の変動停止が行われた結果が大当りとなった場合に、
大当り遊技状態
となり、所定時間
にわたって開放される
（１−ウ）
「【００１７】
　図２は本実施形態のパチンコ遊技機に配備された制御系統の要部ブロック図である。パチンコ遊技機には、パチンコ遊技の総括的な制御を行うメイン制御装置９と、メイン制御装置９からの情報（指令コマンドやデータ）に基いて
各駆動部を制御するサブ制御装置、即ち、表示制御装置１０
【００１８】
  メイン制御装置９（主制御部）は図示しないメイン制御基板に配備される。
メイン制御装置９は、
メインＣＰＵと
により構成されている
・・・・・
【００２１】
　また、
メイン制御装置９にはドライバ１５が接続され、遊技盤面に設けられた可変入賞装置７の大入賞口８を開放作動するためのソレノイド１６がメイン制御装置９からの制御出力により
駆動制御されるように設けられる。
（１−エ）
「【００３３】
　次に、
メインＣＰＵが実行する遊技処理
遊技球が始動入賞口５に入賞すると、
・・・・・
【００３５】
　ステップＳ０３に進むと、
メインＣＰＵは、大当り判定用カウンタ
の現在値を取得し
・・・・・
【００４０】
　ステップＳ１１に進むと、
メインＣＰＵは、
大当り判定用の取得数値が当りに属している値
であるか否かを判別する
（１−オ）
「【００５４】
　以上のようにして、メインＣＰＵが、大当り外れの別による変動パターンの決定と（変動時間の決定と）停止図柄の決定とを行うと、表示制御装置１０に当否情報を送信し、変動パターンの種別をコマンド送信し、左図柄、右図柄、中図柄の停止図柄をコマンド送信し、カウントダウン時間設定用の取得数値を送信する。
【００５５】
　表示制御装置１０は、当否情報、変動パターンの種別コマンドを受け取ると、左図柄、中図柄、右図柄の図柄変動を開始する。また、
表示制御装置１０は、変動パターンの種別に対応して図柄変動のタイミング（変動速度の切換時期や図柄の揺れ変動開始時期等）やキャラクタの選択、或いは予告（大当り予告或いはリーチ予告）の選択を行い
左図柄、右図柄、中図柄の停止図柄を決定する
停止図柄がリーチ図柄である場合には、リーチ発生となる
・・・・・
【００５８】
　そして、
メインＣＰＵは、
大当りである場合には、
大当り遊技処理が行われる
（１−カ）
「【００６９】
　図１２は、リーチを発生する場合で、カウントダウン時間として１０秒、かつ図柄の一時停止を２回に設定した場合の特別図柄表示装置２における図柄の一変動表示態様を示す図である。
左図柄、右図柄、中図柄の変動が開始され、所定のタイミングで左図柄が「１」で停止し、左図柄の停止後に所定のタイミングで右図柄が「１」で停止し、リーチ発生となり、
【００７０】
　カウントダウン時間を表示した時点から、
所定時間
経過した時点で中図柄が「６」で停止し、この時点で１回目の一時停止となり、
所定時間経過時に、中図柄だけが再変動する
中図柄の１回目の再変動時から所定時間
経過した時点で中図柄が「８」で停止し、この時点で２回目の一時停止となる
所定時間経過時に、中図柄だけが再変動する
中図柄の２回目の再変動時から所定時間
経過した時点で、
中図柄が「Ａ」で停止し、リーチはずれ図柄「１Ａ１」で確定する
（１−キ）
（１−キ−１）
　上記（１−エ）の段落【００３３】には、「次に、
メインＣＰＵが実行する遊技処理
遊技球が始動入賞口５に入賞すると、
メインＣＰＵは、大当り判定用カウンタ
の現在値を取得し
メインＣＰＵは、
大当り判定用の取得数値が当りに属している値
であるか否かを判別する
　また、上記（１−イ）の段落【００１２】には、「
遊技盤面１の略中央には
図柄表示ユニット３が配設されている
図柄表示ユニット３の下方中央には、
可変入賞口５を有する
普通電動役物４が設けられている
遊技盤面１には、可変入賞口５を有する普通電動役物４が設けられている
　そして、上記（１−イ）の段落【００１３】には、「なお、普通電動役物４の可変入賞口５が図柄表示装置２における図柄変動の開始に関わる始動口に設定されている。」と記載されているから、「可変入賞口５」が「始動入賞口５」のことを意味することは明らかである。
　さらに、上記（１−ウ）の段落【００１８】には、「
メイン制御装置９は、
メインＣＰＵと
により構成されている
　したがって、引用文献１には、「
メイン制御装置９は、遊技球が遊技盤面１に設けられている普通電動役物４の始動入賞口５に入賞すると、大当り判定用カウンタの現在値を取得し、大当り判定用の取得数値が当りに属している値であるか否かを判別する遊技処理を実行する
（１−キ−２）
　上記（１−イ）の段落【００１５】には、「
大入賞口８は、図柄表示装置２において図柄の変動停止が行われた結果が大当りとなった場合に、
大当り遊技状態
となり、所定時間
にわたって開放される
可変入賞装置６は、通常時には開閉扉７を閉成状態として大入賞口８へのパチンコ球の入賞が不可能な状態
となっている
　また、同段落【００１４】には、「普通電動役物４の下方には可変入賞装置６が設けられている。」、「可変入賞装置６は、開閉扉７を開放状態として大入賞口８へのパチンコ球が入賞しやすい状態に変換する。」と記載されている。そして、上記（１−キ−１）で検討したとおり、引用文献１には、「遊技盤面１には、可変入賞口５を有する普通電動役物４が設けられている」ことが記載されているから、図１も併せて参照すると、引用文献１には、「
遊技盤面１には、大入賞口８が設けられている
　そして、上記（１−オ）の段落【００５８】には、「そして、
メインＣＰＵは、
大当りである場合には、
大当り遊技処理が行われる
メイン制御装置９にはドライバ１５が接続され、遊技盤面に設けられた可変入賞装置７の大入賞口８を開放作動するためのソレノイド１６がメイン制御装置９からの制御出力により
駆動制御されるように設けられる。
メイン制御装置９
　したがって、引用文献１には、「
メイン制御装置９は、図柄表示装置２において図柄の変動停止が行われた結果が大当りとなった場合に、大当り遊技状態とし、遊技盤面１に設けられており、通常時には開閉扉７を閉成状態としてパチンコ球の入賞が不可能な状態となっている大入賞口８を所定時間にわたって開放する
　上記（１−キ−１）及び（１−キ−２）から、引用文献１には、「
遊技球が遊技盤面１に設けられている普通電動役物４の始動入賞口５に入賞すると、大当り判定用カウンタの現在値を取得し、大当り判定用の取得数値が当りに属している値であるか否かを判別する遊技処理を実行し、図柄表示装置２において図柄の変動停止が行われた結果が大当りとなった場合に、大当り遊技状態とし、遊技盤面１に設けられており、通常時には開閉扉７を閉成状態としてパチンコ球の入賞が不可能な状態となっている大入賞口８を所定時間にわたって開放するメイン制御装置９
（１−ク）
　上記（１−イ）の段落【００１２】には、「なお、
図柄表示装置２は遊技者に可変表示ゲームによる当り外れを認識させるための識別情報としての複数の図柄列を変動表示させるものである
各駆動部を制御するサブ制御装置、即ち、表示制御装置１０
　また、上記（１−オ）の段落【００５５】には、「また、
表示制御装置１０は、
左図柄、右図柄、中図柄の停止図柄を決定する
停止図柄がリーチ図柄である場合には、リーチ発生となる
　したがって、引用文献１には、「
図柄表示装置２に遊技者に可変表示ゲームによる当り外れを認識させるための識別情報としての複数の図柄列を変動表示させ、左図柄、右図柄、中図柄の停止図柄を決定して各図柄を停止させる表示を行い、停止図柄がリーチ図柄である場合には、リーチ発生とする表示制御装置１０
（１−ケ）
　上記（１−オ）の段落【００５５】には、「また、
表示制御装置１０は、変動パターンの種別に対応して図柄変動のタイミング（変動速度の切換時期や図柄の揺れ変動開始時期等）やキャラクタの選択、或いは予告（大当り予告或いはリーチ予告）の選択を行い
　また、上記（１−ウ）の段落【００１７】には、「・・・メイン制御装置９からの情報（指令コマンドやデータ）に基いて
各駆動部を制御するサブ制御装置、即ち、表示制御装置１０
　そうすると、引用文献１には、「
表示制御装置１０は、変動パターンの種別に対応して図柄変動のタイミング（変動速度の切換時期や図柄の揺れ変動開始時期等）やキャラクタの選択、或いは予告（大当り予告或いはリーチ予告）の選択を行い、選択した結果の表示を行う
　上記（１−ア）〜（１−カ）の記載事項及び（１−キ）〜（１−ケ）の認定事項を総合すると、引用文献１には、次の発明（以下、「引用発明」という。）が記載されていると認められる（記号ａ〜ｅは、本願発明の記号Ａ〜Ｅに対応させて付した。ただし、引用発明には本願発明の記号Ｄに対応する構成がないため、記号ｄは使用していない。）。
「ａ　遊技球が遊技盤面１に設けられている普通電動役物４の始動入賞口５に入賞すると、大当り判定用カウンタの現在値を取得し、大当り判定用の取得数値が当りに属している値であるか否かを判別する遊技処理を実行し、図柄表示装置２において図柄の変動停止が行われた結果が大当りとなった場合に、大当り遊技状態とし、遊技盤面１に設けられており、通常時には開閉扉７を閉成状態としてパチンコ球の入賞が不可能な状態となっている大入賞口８を所定時間にわたって開放するメイン制御装置９と、（１−キ）
ｂ　図柄表示装置２に遊技者に可変表示ゲームによる当り外れを認識させるための識別情報としての複数の図柄列を変動表示させ、左図柄、右図柄、中図柄の停止図柄を決定して各図柄を停止させる表示を行い、停止図柄がリーチ図柄である場合には、リーチ発生とする表示制御装置１０と、を有し、（１−ク）
ｃ　左図柄、右図柄、中図柄の変動が開始され、所定のタイミングで左図柄が『１』で停止し、左図柄の停止後に所定のタイミングで右図柄が『１』で停止し、リーチ発生となり、所定時間経過した時点で中図柄が『６』で停止し、この時点で１回目の一時停止となり、所定時間経過時に、中図柄だけが再変動し、中図柄の１回目の再変動時から所定時間経過した時点で中図柄が『８』で停止し、この時点で２回目の一時停止となり、所定時間経過時に、中図柄だけが再変動し、中図柄の２回目の再変動時から所定時間経過した時点で、中図柄が『Ａ』で停止し、リーチはずれ図柄『１Ａ１』で確定し、（【００６９】、【００７０】）
ｅ　表示制御装置１０は、変動パターンの種別に対応して図柄変動のタイミング（変動速度の切換時期や図柄の揺れ変動開始時期等）やキャラクタの選択、或いは予告（大当り予告或いはリーチ予告）の選択を行い、選択した結果の表示を行う、（１−ケ）
遊技機。（【０００１】）」
（２）引用文献２
　当審で通知した拒絶の理由に引用された、本願の出願前に頒布された刊行物である特開２０００−３００７６０号公報（以下、「引用文献２」という。）には、図面とともに以下の事項が記載されている（下線は当審で付した。）。
（２−ア）
「【０００１】
【発明の属する技術分野】本発明は、識別情報を可変表示する可変表示装置を備え、前記識別情報の表示結果が予め定めた特定表示結果となったときに特定遊技状態を発生し得る
弾球遊技機
（２−イ）
「【００３８】次に、変形例２では、左・中・右の図柄種類を図１６の一覧表図に示すように設定している。即ち、図１６において、左右の図柄は、それぞれ「１〜１０」の１０種類の当り図柄と、「コイン」の１０個のハズレ図柄、から構成され、中図柄は、「１〜１０」の１０種類の当り図柄と、「コイン」の８個のハズレ図柄と、２個の「Ｒ」図柄、から構成されている。そして、中図柄を構成する２個の「Ｒ」図柄がリプレイ図柄をなし、その「Ｒ」図柄が停止表示されたことを条件としてリプレイ変動を行うようになっている。
【００３９】具体的なリプレイ変動は、図１７に示す通りである。先ず、図１７（Ａ）に示す
図柄変動からリーチ変動を行い、その後、
中図柄にリプレイ図柄「Ｒ」が一旦停止
されると、
図柄のリプレイ変動が行われる
中図柄にのみ「Ｒ」図柄を設けてこれをリプレイ図柄とし、そのリプレイ図柄「Ｒ」が表示されるとリプレイ変動を行うようになっている
リーチ図柄はそのままの表示状態にして中図柄のみを再変動するようにしてもよい
（３）引用文献３
　当審で通知した拒絶の理由に引用された、本願の出願前に頒布された刊行物である特開２００８−１９４０６９号公報（以下、「引用文献３」という。）には、図面とともに以下の事項が記載されている（下線は当審で付した。）。
（３−ア）
「【０００１】
　本発明は、パチンコ遊技機等の遊技機に係り、詳しくは、各々を識別可能な複数種類の識別情報の可変表示を行い表示結果を導出表示する３つ以上の可変表示部を有する可変表示装置を備え、可変表示の表示結果として特定の識別情報の組み合せが導出表示されたときに遊技者にとって有利な特定遊技状態に制御可能な
遊技機
（３−イ）
「【０４７４】
　図１１４は、可変表示装置９において実行される擬似連続予告演出（第１擬似連続予告演出図柄）の表示例を示す説明図である。図１１４（Ａ）は可変表示装置９の変動前の状態を示している。このとき、図１４における「擬似連続２回」の変動パターンコマンド（変動番号「８１」〜「８７」）を受信すると、演出制御用マイクロコンピュータ１００は、図１１４（Ｂ）に示すように、可変表示装置９の飾り図柄の変動表示を開始する。演出制御用マイクロコンピュータ１００が、仮停止図柄決定処理（図５１〜図５３）を実行することで１回目の仮停止図柄として図５に示す「２Ｃ」のチャンス目を決定・格納し（ステップＳ１２０５、またはステップＳ１２２１）、その後に第１擬似連続予告演出図柄により擬似連続予告演出を実施することに決定し（ステップＳ１２２５、ステップＳ１２２６のＹ、ステップＳ１２２７）、２回目の仮停止図柄として「２Ｃ」のチャンス目を決定・格納した場合、図１１４（Ｃ）に示すように、演出制御用マイクロコンピュータ１００は、チャンス目「３７５」で１回目の
仮停止を行う
その後、
飾り図柄の再変動を開始させて、
擬似連続変動が５０％継続することを示す第１擬似連続予告演出図柄（「まだまだ続くかもー」というメッセージとともにキャラクタを表示させる）を可変表示装置９に表示させる
・・・・・
【０４７９】
　また、上記実施の形態では、可変表示装置９において飾り図柄が変動中であって、全て（左中右）の図柄が仮停止していないときに
擬似連続予告演出を行っていたが
左右図柄が仮停止した時点で行うようにしてもよい
・・・・・
【０４８１】
　以上のように、この実施の形態１では、図１１３および図１１４にて説明したように、
擬似連続予告演出によって、飾り図柄が仮停止する前に擬似連続変動が継続することを予告することができる。これにより、遊技者は擬似連続変動が継続されることを認識でき、興趣の向上が図れる。
（３−ウ）
　図１１４（Ｅ）には、
「まだまだ続くかもー」というメッセージとともにキャラクタを表示させる第１擬似連続予告演出図柄を表示する際に、再変動中の飾り図柄を縮小して表示させる
第４　対比
　本願発明と引用発明とを対比する（対比にあたっては、本願発明の構成Ａ〜Ｅと引用発明の構成ａ〜ｅについて、それぞれ（ａ）〜（ｅ）の見出しを付けて行った。なお、本願発明の構成Ｄについては、引用発明に対応する構成がないため、構成別の対比を行わずに相違点とした。）。
（ａ）引用発明の「遊技盤面１に設けられている普通電動役物４の始動入賞口５」は、本願発明の「遊技盤面に設けられた始動入賞口」に相当し、引用発明の「大当り判定用の取得数値が当りに属している値であるか否かを判別」することは、本願発明の「抽選を実行する」ことに相当する。
　また、引用発明の「図柄表示装置２において図柄の変動停止が行われた結果が大当りとな」ることが、「前記抽選が当選であることに基づいて」なされることは明らかである。
　そして、引用発明の「遊技盤面１に設けられており、通常時には開閉扉７を閉成状態としてパチンコ球の入賞が不可能な状態となっている大入賞口８を所定時間にわたって開放する」ことは、本願発明の「前記遊技盤面上に設けられ前記通常遊技中は閉止されている大入賞口を所定期間開放することにより遊技球の入賞を可能とする」ことに相当し、引用発明の「大当り遊技状態」は、本願発明の「特別遊技」の状態に相当する。
　そうすると、引用発明の「メイン制御手段９」が遊技の進行の制御を行うことは明らかであるから、引用発明の「遊技球が遊技盤面１に設けられている普通電動役物４の始動入賞口５に入賞すると、大当り判定用カウンタの現在値を取得し、大当り判定用の取得数値が当りに属している値であるか否かを判別する遊技処理を実行し、図柄表示装置２において図柄の変動停止が行われた結果が大当りとなった場合に、大当り遊技状態とし、遊技盤面１に設けられており、通常時には開閉扉７を閉成状態としてパチンコ球の入賞が不可能な状態となっている大入賞口８を所定時間にわたって開放するメイン制御装置９」は、
　本願発明の「遊技盤面に設けられた始動入賞口に遊技球が入賞することで抽選を実行する通常遊技の進行を制御すると共に、前記抽選が当選であることに基づいて、前記遊技盤面上に設けられ前記通常遊技中は閉止されている大入賞口を所定期間開放することにより遊技球の入賞を可能とする特別遊技の進行を制御する遊技進行制御手段」に相当する。
（ｂ）引用発明の「図柄表示装置２」は、本願発明の「表示装置」に相当する。
　そして、引用発明の「複数の図柄列」は、「遊技者に可変表示ゲームによる当り外れを認識させるための識別情報」であり、その変動は予め定められたものといえるから、引用発明の「遊技者に可変表示ゲームによる当り外れを認識させるための識別情報としての複数の図柄列を変動表示させ」ることは、本願発明の「予め定められた複数の図柄列の変動を含む画像演出を表示」することに相当する。
　また、引用発明の「複数の図柄列」は、「遊技者に可変表示ゲームによる当り外れを認識させるための識別情報」であるから、引用発明の「左図柄、右図柄、中図柄の停止図柄を決定して各図柄を停止させる表示を行」うことは、本願発明の「その後に停止される各図柄列の図柄配列状態によって前記抽選の結果を報知する」ことに相当する。
　さらに、引用発明の「停止図柄がリーチ図柄である場合」の「リーチ発生」時の演出は、「前記抽選の結果を報知する前に前記複数の図柄列の内最終停止図柄列を残して当選図柄で仮停止させる」ものであることは明らかである。
　そうすると、引用発明の「図柄表示装置２に遊技者に可変表示ゲームによる当り外れを認識させるための識別情報としての複数の図柄列を変動表示させ、左図柄、右図柄、中図柄の停止図柄を決定して各図柄を停止させる表示を行い、停止図柄がリーチ図柄である場合には、リーチ発生とする表示制御装置１０」は、
　本願発明の「表示装置に、予め定められた複数の図柄列の変動を含む画像演出を表示し、その後に停止される各図柄列の図柄配列状態によって前記抽選の結果を報知する、或いは、前記抽選の結果を報知する前に前記複数の図柄列の内最終停止図柄列を残して当選図柄で仮停止させるリーチ演出を介して停止される各図柄列の図柄配列状態によって前記抽選の結果を報知する報知手段」の機能を有するものである。
（ｃ）引用発明の「所定のタイミングで左図柄が『１』で停止し、左図柄の停止後に所定のタイミングで右図柄が『１』で停止し、リーチ発生とな」ることは、本願発明の「前記リーチ演出を実行」することに相当する。
　また、引用発明の「中図柄」の列は、本願発明の「最終停止図柄列」に相当するから、引用発明の「中図柄が『６』で停止し、この時点で１回目の一時停止とな」ること及び「中図柄が『８』で停止し、この時点で２回目の一時停止とな」ることは、本願発明の「前記最終停止図柄列において、図柄が仮停止」することに相当し、引用発明の「中図柄だけが再変動」することは、本願発明の「前記最終停止図柄列が再変動」することに相当する。
　また、引用発明の「リーチ外れ図柄『１Ａ１』」は、リーチ外れという抽選の結果を報知するものであるから、引用発明の「中図柄が『Ａ』で停止し、リーチはずれ図柄『１Ａ１』で確定」することは、本願発明の「前記抽選の結果を報知するための最終停止図柄で停止させる」ことに相当する。
　そして、引用発明の「左図柄、右図柄、中図柄の変動が開始され」ること、「中図柄が『Ａ』で停止し、リーチはずれ図柄『１Ａ１』で確定」することは、それぞれ本願発明の「図柄変動が開始され」ること、「前記最終停止図柄列が停止する」ことに相当するから、引用発明の構成ｃは、「図柄変動が開始されてから前記最終停止図柄列が停止するまでの１回の変動内で実行され」るものといえる。
　さらに、引用発明の構成ｃは、「左図柄、右図柄、中図柄の変動」を伴うものであり、リーチ発生後にいわゆる「擬似連」演出を実行するものであるから、上記（ｂ）の検討を踏まえると、「前記報知手段で報知される前記図柄列の変動を含む画像演出の形態として」「リーチ後擬似連演出形態を有」するものということができる。
　そうすると、引用発明の「左図柄、右図柄、中図柄の変動が開始され、所定のタイミングで左図柄が『１』で停止し、左図柄の停止後に所定のタイミングで右図柄が『１』で停止し、リーチ発生となり、所定時間経過した時点で中図柄が『６』で停止し、この時点で１回目の一時停止となり、所定時間経過時に、中図柄だけが再変動し、中図柄の１回目の再変動時から所定時間経過した時点で中図柄が『８』で停止し、この時点で２回目の一時停止となり、所定時間経過時に、中図柄だけが再変動し、中図柄の２回目の再変動時から所定時間経過した時点で、中図柄が『Ａ』で停止し、リーチはずれ図柄『１Ａ１』で確定」する点と、
　本願発明の「前記報知手段で報知される前記図柄列の変動を含む画像演出の形態として、前記リーチ演出を実行した後に実行される一連の動作であり、図柄変動が開始されてから前記最終停止図柄列が停止するまでの１回の変動内で実行され、前記最終停止図柄列において、変動が継続することを示す擬似連図柄が仮停止した後、前記最終停止図柄列が再変動しかつ当該再変動中に特定演出を実行する表示領域を確保するための図柄の縮小を伴う擬似連強調動作を行った後、前記抽選の結果を報知するための最終停止図柄で停止させるリーチ後擬似連演出形態情報を含む、複数種類の演出形態情報を記憶する演出形態情報記憶手段」を有する点とは、
　「前記報知手段で報知される前記図柄列の変動を含む画像演出の形態として、前記リーチ演出を実行した後に実行される一連の動作であり、図柄変動が開始されてから前記最終停止図柄列が停止するまでの１回の変動内で実行され、前記最終停止図柄列において、図柄が仮停止した後に、前記最終停止図柄列が再変動した後、前記抽選の結果を報知するための最終停止図柄で停止させるリーチ後擬似連演出形態を有」する点で共通する。
（ｅ）引用発明の「表示制御装置１０」は、「変動パターンの種別に対応して図柄変動のタイミング（変動速度の切換時期や図柄の揺れ変動開始時期等）やキャラクタの選択、或いは予告（大当り予告或いはリーチ予告）の選択を行い、選択した結果の表示を行う」ものであるから、「選択された演出を実行する」ものということができる。
　そうすると、引用発明の「変動パターンの種別に対応して図柄変動のタイミング（変動速度の切換時期や図柄の揺れ変動開始時期等）やキャラクタの選択、或いは予告（大当り予告或いはリーチ予告）の選択を行い、選択した結果の表示を行う」「表示制御装置１０」と、
　本願発明の「前記選択手段で選択された演出形態情報に基づいて、前記報知手段を制御して演出を実行する演出実行制御手段」とは、
　「選択された演出を実行する演出実行制御手段」である点で共通する。
　上記（ａ）〜（ｅ）の検討により、本願発明と引用発明とは、
（一致点）
「Ａ　遊技盤面に設けられた始動入賞口に遊技球が入賞することで抽選を実行する通常遊技の進行を制御すると共に、前記抽選が当選であることに基づいて、前記遊技盤面上に設けられ前記通常遊技中は閉止されている大入賞口を所定期間開放することにより遊技球の入賞を可能とする特別遊技の進行を制御する遊技進行制御手段と、
Ｂ　表示装置に、予め定められた複数の図柄列の変動を含む画像演出を表示し、その後に停止される各図柄列の図柄配列状態によって前記抽選の結果を報知する、或いは、前記抽選の結果を報知する前に前記複数の図柄列の内最終停止図柄列を残して当選図柄で仮停止させるリーチ演出を介して停止される各図柄列の図柄配列状態によって前記抽選の結果を報知する報知手段と、を有し、
Ｃ’前記報知手段で報知される前記図柄列の変動を含む画像演出の形態として、前記リーチ演出を実行した後に実行される一連の動作であり、図柄変動が開始されてから前記最終停止図柄列が停止するまでの１回の変動内で実行され、前記最終停止図柄列において、図柄が仮停止した後に、前記最終停止図柄列が再変動した後、前記抽選の結果を報知するための最終停止図柄で停止させるリーチ後擬似連演出形態を有し、
Ｅ’選択された演出を実行する演出実行制御手段、
を有する遊技機。」
である点で一致し、以下の点で相違している。
（相違点１）
　リーチ後擬似連演出形態において最終停止図柄列に仮停止する図柄について、本願発明では、「変動が継続することを示す擬似連図柄」であるのに対して、引用発明では、「６」や「８」などの通常の図柄である点。（Ｃ’）
（相違点２）
　本願発明は、最終停止図柄列において図柄が仮停止した後に、前記最終停止図柄列の再変動とともに、「当該再変動中に特定演出を実行する表示領域を確保するための図柄の縮小を伴う擬似連強調動作」を行うのに対して、引用発明では、「擬似連強調動作」についての特定がない点。（Ｃ’）
（相違点３）
　本願発明は、「複数種類の演出形態情報を記憶する演出形態情報記憶手段」と、「前記遊技進行制御手段から送出される演出実行情報に基づいて、前記演出形態情報記憶手段から演出形態を選択する選択手段」とを有するとともに、「演出形態情報記憶手段」が記憶する「複数種類の演出形態情報」が、「リーチ後擬似連演出形態情報」を含み、「演出実行制御手段」が「前記選択手段で選択された演出形態情報」に基づいて演出を実行するのに対して、引用発明では、「演出形態情報記憶手段」及び当該「演出形態情報記憶手段」に関連する構成を有するか否か明らかでない点。（Ｃ’、Ｄ、Ｅ’）
（相違点４）
　本願発明は、「演出実行制御手段」が「演出を実行する」のに、「報知手段を制御」するのに対して、引用発明では、「表示制御手段１０」が「演出実行制御手段」と「報知手段」の両方の機能を有する点。（Ｅ’）
第５　判断
（１）相違点１について
　上記（２−ア）〜（２−イ）の記載事項によれば、引用文献２には、中図柄にのみ「Ｒ」図柄を設けてこれをリプレイ図柄とし、そのリプレイ図柄「Ｒ」が表示されるとリプレイ変動を行うようになっており、図柄変動からリーチ変動を行い、その後、中図柄にリプレイ図柄「Ｒ」が一旦停止されると、図柄のリプレイ変動が行われる弾球遊技機が記載されており、リーチ図柄はそのままの表示状態にして中図柄のみを再変動するようにしてもよいことも記載されている。
　ここで、引用文献２の「リプレイ図柄『Ｒ』」は、「表示されるとリプレイ変動を行うようになって」いるものであるから、本願発明の「変動が継続することを示す擬似連図柄」に相当する。
　そうすると、引用文献２には、リーチ後擬似連演出形態において、最終停止図柄列に変動が継続することを示す擬似連図柄を仮停止させるとの技術的事項が記載されているといえる。
　そして、引用発明も、リーチ後擬似連演出形態において最終停止図柄列を仮停止及び再変動させる遊技機である点で引用文献２に記載されたものと共通するから、引用発明に対して引用文献２に記載された上記の技術的事項を適用して、相違点１に係る本願発明の構成とすることは、当業者が容易に想到できたことである。
（２）相違点２について
　上記（３−ア）〜（３−ウ）の記載事項によれば、引用文献３には、仮停止を行った後、飾り図柄の再変動を開始させて、擬似連続変動が５０％継続することを示す第１擬似連続予告演出図柄（「まだまだ続くかもー」というメッセージとともにキャラクタを表示させる）を可変表示装置９に表示させ、その際に、再変動中の飾り図柄を縮小して表示させる遊技機が記載されており、擬似連続予告演出を左右図柄が仮停止した時点で行うようにしてもよいことも記載されている。
　ここで、引用文献３の「第１擬似連続予告演出」は、本願発明でいう「特定演出」に相当し、引用文献３は、「再変動中の飾り図柄を縮小して表示させる」ことで、擬似連続変動が５０％継続することを示す第１擬似連続予告演出を実行する表示領域が確保されているといえるから、「再変動中の飾り図柄を縮小して表示させる」ことは、本願発明の「擬似連強調動作」に相当する。
　そうすると、引用文献３には、図柄が仮停止した後に、図柄列の再変動とともに、当該再変動中に特定演出を実行する表示領域を確保するための図柄の縮小を伴う擬似連強調動作を行うとの技術的事項が記載されているといえる。
　そして、引用文献３において、擬似連続予告演出によって、飾り図柄が仮停止する前に擬似連続変動が継続することを予告することができ、これにより、遊技者は擬似連続変動が継続されることを認識でき、興趣の向上が図られることが示されているところ（引用文献３の段落【０４８１】を参照。）、引用発明も擬似連演出を実行する遊技機という点で引用文献３に記載されたものと共通するものであり、興趣の向上という課題を内在することは明らかである。
　したがって、引用発明に対して引用文献３に記載された上記の技術的事項を適用して、相違点２に係る本願発明の構成とすることは、当業者が容易に想到できたことである。
（３）相違点３について
　遊技機の技術分野において、複数種類の演出形態情報を記憶する演出形態情報記憶手段と、遊技進行制御手段から送出される演出実行情報に基づいて、演出形態情報記憶手段から演出形態を選択する選択手段とを有し、選択手段で選択された演出形態情報に基づいて演出を実行することは、例えば特開２０１０−１７２４１８号公報（演出制御用マイクロコンピュータ１２０が備えるＲＯＭ１３２には、演出制御パターンを構成するパターンデータが予め複数種類格納されており、演出制御用マイクロコンピュータ１２０のＣＰＵ１３１は、変動パターン指定コマンドに示された変動パターンなどに基づいて演出制御パターンをセットし、対応する各種の制御データに応じた演出動作の制御を行う点。段落【０１４２】、【０１５０】、図１４等を参照。）や特開２００９−１６０３３５号公報（サブＣＰＵ２０６は、主制御回路６０から供給される各種コマンド信号に従って、各種演出制御を行い、プログラムＲＯＭ２０８には、サブＣＰＵ２０６により実行される液晶表示装置３２の画像表示に伴う複数種類の演出画像データや演出表示期間を定めた時間テーブル等が記憶されている点（各種演出制御に伴い演出画像データ等が選択されることは自明。）。段落【０１０３】〜【０１０４】等を参照。）等にも記載されているように、本願出願前に周知の技術である。
　そして、引用発明が遊技機として動作するためには、演出を実行する情報処理手段としての具体的な構成が必要であることは当然であるから、引用発明において、演出を実行する情報処理手段の構成として上記の周知技術の構成を採用するとともに、演出形態情報記憶手段が記憶する複数種類の演出形態情報に「リーチ後擬似連演出形態」の情報を含めて、相違点３に係る本願発明の構成とすることは、当業者が容易に想到できたことである。
（４）相違点４について
　遊技機の技術分野において、演出実行制御手段と報知手段（表示制御手段）とを異なる装置として設けて、演出実行制御手段が報知手段を制御して演出を実行することは、例えば特開２００１−７０５９０号公報（演出総合基板９０における演出制御用ＣＰＵは、決定した演出制御を示す表示制御コマンドを表示制御基板８０に送出する点。段落【０１７６】、図４等を参照。）や特開２０１０−１１０５２８号公報（演出制御基板４００は、設定した演出形態の実行を指示する指示情報を画像制御基板５００に出力する点。段落【００９５】、図８等を参照。）等にも記載されているように、本願出願前に周知の技術である。
　そして、引用発明に対して上記の周知技術を適用して、相違点４に係る本願発明の構成とすることは、当業者が容易に想到できたことである。
（５）本願発明の作用効果について
　本願発明の作用効果は、引用発明、引用文献２及び３に記載された技術的事項及び周知技術から当業者が予測できる範囲のものであり、格別顕著なものとはいえない。
（６）請求人の主張について
　請求人は、平成２８年１０月２４日付け意見書において、「これに対して本願発明は、擬似連強調動作を行った後、抽選の結果を報知するための最終停止図柄で停止させており、特定演出を実行する表示領域を確保するための図柄の縮小を伴う擬似連強調動作が維持される構成であり、本願発明とは異なります。」（第３頁第２６〜２８行）と主張している。
　しかしながら、本願の請求項１には、「擬似連強調動作」について、「前記最終停止図柄列が再変動しかつ当該再変動中に特定演出を実行する表示領域を確保するための図柄の縮小を伴う擬似連強調動作を行った後、前記抽選の結果を報知するための最終停止図柄で停止させる」と記載されているだけであり、擬似連強調動作が維持されることは特定されていないから、請求人の上記主張は、特許請求の範囲の記載に基づくものではなく、採用することができない。
（７）まとめ
　したがって、本願発明は、引用発明、引用文献２及び３に記載された技術的事項及び周知技術に基づいて当業者が容易に発明をすることができたものである。
第６　むすび
　以上のとおり、本願発明は、特許法第２９条第２項の規定により特許を受けることができないものである。
　したがって、その余の請求項について検討するまでもなく、本願は拒絶すべきものである。
　よって、結論のとおり審決する。